(57)【要約】【課題】  本発明は１ｋｇ／ｃｍ２以上の強力圧力薬液スプレーが得られ、蛇口の位置に関係なく移動し得るばかりでなく、かつ密閉容器内において薬液と圧力流体との境界薄膜や昇降摺動板を必要としない簡便な薬液散布用スプレー装置を得ることを目的とする。【解決手段】  密閉容器１の上側に圧力ガス注入口２を設け、下側に液体注入口３を設け、上記圧力ガス注入口２に接続したチューブ４を３方弁５を介して液化不燃ガスボンベ６及びスプレー機７に接続し、かつ液体注入口３に接続したチューブ８を３方弁９を介して液体貯槽１０及び上記スプレー機７に接続し、該スプレー機７に上記圧力ガス用及び上記液体用の開閉コック１１，１２を介してスプレーノズル１３を設けてなる液体散布用スプレー装置。【選択図】  図１
2005262037.tif 000002
【特許請求の範囲】
【請求項１】
密閉容器の上側に圧力ガス注入口を設け、下側に液体注入口を設け、
上記圧力ガス注入口に接続したチューブを３方弁を介して液化不燃ガスボンベ及びスプレー機に接続し、
かつ液体注入口に接続したチューブを３方弁を介して液体貯槽及び上記スプレー機に接続し、
該スプレー機に上記圧力ガス用及び上記液体用の開閉コックを介してスプレーノズルを設けてなる液体散布用スプレー装置。
【請求項２】
上記ガスボンベが液化ＣＯ２ガス可搬ボンベであり、液体が水又は薬液である請求項１記載の液体散布用スプレー装置。
【請求項３】
上記液体注入口が上記容器の下側に代り上側にあり、
圧力ガス注入口が上記容器の上側に代り下側にあって、
上記液体注入口から上記容器の下側に至る導管を垂設した請求項１又は２記載の液体散布用スプレー装置。
【請求項４】
可搬機枠に上記密閉容器を支持し、該機枠に上記液体貯槽、上記ガスボンベ及びスプレー機を着脱自在に支持した請求項１〜３のいずれかに記載の液体散布用スプレー装置。
【発明の詳細な説明】
【技術分野】
【０００１】
本発明は家庭・マンション・病院等の空調機、家具、壁、神社仏閣、墓、自動車内外装面等の清掃又は農薬散布等に用いる液体散布用スプレー装置に関するものである。
【背景技術】
【０００２】
従来の液体散布用スプレー装置では圧力薬液を得るため上水道水が用いられた（例えば特許文献１）。
【０００３】
上水道水の水圧は１ｋｇ／ｃｍ２弱であるため、密閉容器内にそれ以上の強力圧力を求めることはできなかったし、水道水による液体スプレーで泡状噴霧を得ることは困難であった。
【０００４】
又上水道の蛇口は一定の固定位置に設けられ、液体圧力密閉容器を蛇口の位置と関係のない場所に移動させることはできないという問題があった。
【０００５】
【特許文献１】特許第３０６８８０２号公報
【発明の開示】
【発明が解決しようとする課題】
【０００６】
本発明は１ｋｇ／ｃｍ２以上の強力圧力泡状スプレーが得られ、
蛇口の位置に関係なく移動し得る簡便な泡状液体散布用スプレー装置を得ることを目的とする。
【課題を解決するための手段】
【０００７】
上記の目的を達成するため本発明は
第１に密閉容器の上側に圧力ガス注入口を設け、下側に液体注入口を設け、上記圧力ガス注入口に接続したチューブを３方弁を介して液化不燃ガスボンベ及びスプレー機に接続し、かつ液体注入口に接続したチューブを３方弁を介して液体貯槽及び上記スプレー機に接続し、該スプレー機に上記圧力ガス用及び上記液体用の開閉コックを介してスプレーノズルを設けてなる液体散布用スプレー装置、
第２に上記ガスボンベが液化ＣＯ２ガス可搬ボンベであり、液体が水又は薬液である上記第１発明記載の液体散布用スプレー装置、
第３に上記液体注入口が上記容器の下側に代り上側にあり、圧力ガス注入口が上記容器の上側に代り下側にあって、上記液体注入口から上記容器の下側に至る導管を垂設した上記第１又は第２発明記載の液体散布用スプレー装置、
第４に可搬機枠に上記密閉容器を支持し、該機枠に上記液体貯槽、上記ガスボンベ及びスプレー機を着脱自在に支持した上記第１〜第３発明のいずれかに記載の液体散布用スプレー装置、
によって構成される。
【０００８】
従って密閉容器内に双方の３方弁を操作して液体及び圧力ガスを注入し、液体面を圧力ガスで加圧することができる。
【０００９】
その状態で双方の３方弁をスプレー機側に切替え双方の上記コックを一度に開きスプレーノズルから圧力ガスと水又は薬液との混合物を泡状に噴出し、被洗浄物又は被防虫農産物又は植木等に噴射することができる。
【発明の効果】
【００１０】
本発明は上述のように構成したので圧力ガスボンベからのガス圧が高く液体の泡状高圧スプレーが可能であり、
装置を必要場所に自由に移動可能な装置が得られる効果がある。
【発明を実施するための最良の形態】
【００１１】
車輪やキャスター２２等による可搬機枠に竪型シリンダー状又は球状密閉容器１を搭載し、
該容器１の上端部（上側）に圧力ガス注入口２を設け、下端部（下側）に液体注入口３を設ける（図１）。
【００１２】
上記ガス注入口２を下端部（下側）に、液体注入口３を上端部（上側）に設けることができる（図２）。
【００１３】
上記ガス注入口２に接続したチューブ４は一方の３方弁５を介して液化不燃ガスボンベ６及びスプレー機７にチューブ４’，４”によって接続し、
上記液体注入口３に接続したチューブ８は他方の３方弁９を介して上方の液体貯槽１０及び上記スプレー機７にチューブ８’，８”によって接続する。
【００１４】
上記スプレー機７には上記圧力ガス用チューブ４”に開閉コック１１及び上記液体用チューブ８”に開閉コック１２を設け、これらのコック１１，１２を介して両チューブ４”，８”を合流１６し、合流部１６を手動開閉弁１７を介してスプレーノズル１３に接続して上記スプレー機７を形成する。
【００１５】
液化不燃ガスボンベ６には液化ＣＯ２ガス可搬ボンベが用いられ、上記機枠１５に着脱自在に搭載し、該ボンベ６と上記３方弁５とはチューブ４’によって着脱自在に接続される。
【００１６】
上記ボンベ６は食品添加ＣＯ２供給用に用いられ、圧力ガスは約６０ｋｇ／ｃｍ２のガス圧が得られる。
【００１７】
液体貯槽１０は上記機枠１５の上部に設けた上面開放容器１８内に収容され、該貯層１０と上記３方弁９とはチューブ８’によって接続される。
【００１８】
又、双方の３方弁５，９にそれぞれ接続する上記チューブ４”，８”は可撓性パイプ１９内に一緒に挿通されて上記コック１１，１２にそれぞれ接続される。
【００１９】
図２に示すように液体注入口３を上端部（上側）に設ける場合は該注入口３に液体２０の導管１４を垂設し、液体２０を該導管１４の下端部から注入することができる。
【００２０】
上記機枠１５は図１、図２に示されるが、植生中の農産物に用いる場合は畝を走行する耕耘機上に設けることができる。
【００２１】
従って一方の３方弁９を操作して密閉容器１内に上記液体貯槽１０内の液体２０を注入する。
【００２２】
又他方の３方弁５を操作し、上記ボンベ６の栓６’を開いて液化不燃ガスを密閉容器１内に加圧注入することができる。
【００２３】
その状態において上記容器１内の液体２０の液面には図３（イ）図に示すように直接上記ガス圧が印加され、該ガス例えばＣＯ２ガスが液体（例えば水）中に溶解し圧力炭酸水となり、（ロ）図に示す昇降摺動自在のピストン２３や（ハ）図に示す薄膜袋２４を介して上記ガス圧が液体例えば洗剤等に印加される。
【００２４】
そして上記双方の３方弁５，９を操作し、かつ上記コック１１，１２の一方又は双方を開いてスプレー機７のスプレーノズル１３から上記ガスを溶解した液体（炭酸水）又は洗剤等の薬液２０を泡状に噴霧２１することができる。
【図面の簡単な説明】
【００２５】
【図１】本発明の液体散布用スプレー装置を示す正面図である。
【図２】本発明の他の実施例の正面図である。
【図３】（イ）図は液体面露出状態の密閉容器の縦断面図、（ロ）図は昇降摺動自在のピストンを用いた密閉容器の縦断面図、（ハ）図は薄膜袋による境界を示す密閉容器の縦断面図である。
【符号の説明】
【００２６】
１      密閉容器
２      圧力ガス注入口
３      液体注入口
４，８    チューブ
５，９    ３方弁
６      液化不燃ガスボンベ
７      スプレー機
１０      液体貯槽
１１，１２  開閉コック
１３      スプレーノズル
１４      導管
１５      可搬機枠
【図１】
2005262037.tif 000003
【図２】
2005262037.tif 000004
【図３】
2005262037.tif 000005